(57)【要約】【課題】  都心の住宅事情では夜間、壁の薄く狭いアパート等でアコースティック楽器を練習することは不可能に近い。そんななかでミューニッシャン達は弦にスポンジを挟んだり、人気のない場所に行き練習したりといろいろな方法を取りながら練習に励んでいた。【解決手段】  ギターの形に合わせた樹脂製の素材を使った樹脂の袋を用い、樹脂の袋に何も入ってない状態では、樹脂の袋全体はサウンドホールの口径より小さく設け、ギター本体内部に設置すると、そのギター本体の形状にあったように樹脂の袋はギター本体内部の隅々を敷き詰める事が出来るよう設け、砂を注入するために開閉口である首丈を樹脂の袋に設け、開閉口である首丈は砂の出し入れが容易になるようサウンドホール内に位置するよう設け、注入した砂を袋内に閉じ込める為キャップを設ける。【選択図】図１
2016095480.tif 000002
【特許請求の範囲】
【請求項１】
ギターの形に合わせた樹脂製の素材を使った樹脂の袋を用い、樹脂の袋に何も入ってない状態では樹脂の袋全体をサウンドホールの口径より小さくまとめる事が可能であるように設け、袋をギター本体内部に設置すると、そのギター本体の形状にあったように樹脂の袋はギター本体内部の隅々を敷き詰める事が出来るよう設け、砂を注入するために開閉口である首丈を樹脂の袋に設け、開閉口である首丈は砂の出し入れが容易になるようサウンドホール内に位置するよう設け、注入した砂を袋内に閉じ込める為キャップを設けたギター演奏用消音器。
【発明の詳細な説明】
【技術分野】
【０００１】  本発明は、ギターを演奏する時に、ギターの音量を減少させ、場所と時間を気にせずに自分の使っているギターで練習できる事を可能にしたいつでもどこでも迷惑をかけずに練習する事ができる消音器に関するものである。
【背景技術】
【０００２】  ギター本体に設けられたサウンドホールに蓋をすることによって音量を減少させることを可能としたものが知られている（特許文献１）。また、ギター本体に設けられたブリッジにあるサドルの両側面を金属製錘で挟んで固定し、ギター本体の共鳴胴に吸着シートを貼付することで音量を減少させることを可能としたものが知られている（特許文献２）。
【先行技術文献】
【特許文献】
【０００３】
【特許文献１】特開２００８−２０９８７１号公報
【特許文献２】特開２０１２−１８２８７号公報
【発明の概要】
【発明が解決しようとする課題】
【０００４】  特許文献１では装着前と後とでは音量の差はほとんどなく、あくまでも補助的な消音としかならない問題点があった。特許文献２ではブリッジにあるサドルの両側面を金属製錘で挟んで固定するためギターを弾く時には邪魔になり、本来の目的である練習に支障が出ていた。消音効果も限定的なものであった。【０００５】  日本の住宅事情で夜間や狭いアパートでアコースティックギターを練習することは不可能に近い。そんななかでミューニッシャン達は弦にスポンジを挟んだり、人気のない場所に行き練習したりと、いろいろな方法を取りながら練習に励んでいた。自分専用のアコースティックギターを使い、演奏時の音の減少を図り、いつでもどこでも近隣住民に配慮しながら本番演奏時に使うギターを用いて練習する事を可能にした。
本発明では以上の問題点を解決するものである。
【課題を解決するための手段】
【０００６】  ギターの形に合わせた樹脂製の素材を使った樹脂の袋を用い、樹脂の袋に何も入ってない状態では、樹脂の袋全体はサウンドホールの口径より小さくまとめる事が可能であるように設け、ギター本体内部に設置すると、そのギター本体の形状にあったように樹脂の袋はギター本体内部の隅々を敷き詰める事が出来るよう設け、砂を注入するために開閉口である首丈を樹脂の袋に設け、開閉口である首丈は砂の出し入れが容易になるようサウンドホール内に位置するよう設け、注入した砂を袋内に閉じ込める為キャップを設ける。
ギター演奏用消音器は以上のような構造である。
【発明の効果】
【０００７】  音に神経質な家族と同居の場合や、密集住宅環境に住まいの方でも、昼夜を問わずアコースティックギターを使って、いつでも練習する事が出来る。ギターから出る音量が減少し、騒音公害の心配が無くなる。普段使っているギターをそのまま使えることが出来、装着に関してギターには全くの負担もかけずに思うようにギターの練習できる。よって自分所有の愛器を使う事で本番に向けた練習が出来る。【０００８】  樹脂製の袋を使う事でどのようなギターの形状にも対応する事が出来、自分所有の愛器を使う事で本番演奏と同じ条件で練習が出来る。ギター本体内に空洞ができるとそのスペースが音の鳴る場所となりミュートの効果が期待できない。ギター本体内部に空気のあるスペースをなくす事で音の伝わる空間が無くなり、よって音が伝わらなくなる。なお、砂の取り入れ口はサウンドホールから出るように設け、砂の出し入れを容易にする。【０００９】  樹脂製の袋はギター本体の形と同じとなるよう設計するが、樹脂製の袋を使う事によりコンパクトにまとめられ、本体内部に収納し、砂を入れてギター本体内の空洞をなくす事を目的としているため樹脂製の袋はそのギター特有の形状と一致させる必要は無い。むしろ一般的なギターの大きさよりすこし大きめに作るほうがどのギターにも使えるので汎用性は高くなる。樹脂製の袋をギターから取り外したいときは砂を開閉口である首丈から取リ出す事で樹脂製の袋がコンパクトにまとまられ、サウンドホールから引き出せばよい。【００１０】  音という物は振動する媒体を振動させながら伝わっていく。ギターも空気の振動を利用して音を構築している。そこで空気の振動を無くしてしまう事で音が伝わらなくなり、結果何も聞こえないといった状況が生まれる。音の振動を妨害する物は重たいものであればあるほどより良いとされている。音の振動そのものも重たいものを動かすにはそれなりの力量（振動）が必要であり、音が伝わるとき振動を遮る物質があると音は振動しにくくなる。【００１１】  ギター本体の共鳴胴に重量のある物質（ここでは手軽に入手できる砂を使う）があることによって音の振動が遮られ、結果ギター共鳴胴内部で音が共鳴できなくなる。本発明の効果を向上させるため砂より重量のある物質（たとえば純金など）を砂状にしたものなどでも使うことが可能である。砂状にすることで樹脂製の袋から出し入れが漏斗を使いながら容易に出来る。
【図面の簡単な説明】
【００１２】
【図１】本発明の斜視図
【図２】本発明をコンパクトにたためた斜視図
【図３】本発明の使用状態を示す断面図
【図４】本発明の設置状態を示す断面図
【発明を実施するための形態】
【００１３】以下、本発明の実施の形態を説明する。
イ）  図１に示すように、ギターの形に合わせた樹脂製の素材を使った樹脂の袋（１）を      用いる。
ロ）  図２に示すように、樹脂の袋（１）に何も入ってない状態では、樹脂の袋（１）全      体はサウンドホール（６）の口径より小さくまとめ事が可能であるように設ける。
ハ）  ギター本体（５）内部に設置すると、そのギター本体（５）の形状にあったように      樹脂の袋（１）はギター本体（５）内部の隅々を敷き詰める事が出来るよう設ける      。
ニ）  砂（４）を注入するため、開閉口である首丈（３）を樹脂の袋（１）に設ける。
ホ）  開閉口である首丈（３）は砂（４）の出し入れが容易になるようサウンドホール（      ６）内に位置するよう設ける。
ヘ）  注入した砂（４）を袋内に閉じ込める為、キャップ（２）を設ける。
ギター演奏用消音器は以上のような構造である。
【００１４】以下、本発明の使用方法を説明する。
イ）本発明をギターに設置するにあたり、まずギター弦（８）を緩める。
ロ）樹脂の袋（１）は広げるとギター本体（５）の形になるように設けられており、樹      脂の袋（１）の素材の性格から小さくまとめる事が可能なので、サウンドホール（      ６）の口径より小さくなるよう折りたたむ。
ハ）樹脂製の袋（１）はそのまま小さくまとめられたままサウンドホール（６）からギ      ター本体（５）の内部へ設置する。
ニ）ギター本体（５）の内部に入れた後は、ギター本体（５）の内部の隅々に広げ、ギ      ター本体（５）の裏側の木材と樹脂製の袋（１）が密着するように敷き詰める。
ホ）開閉口である首丈（３）は樹脂製の袋（１）をギター本体（５）内部に設置後、サ      ウンドホール（６）内に収まるように設置する。
ヘ）図４に示すように、キャップ（２）を開け、首丈（３）から漏斗（９）
ト）を使いながら砂（４）を注入する。
チ）砂（４）を入れ終わったらキャップ（２）を締め、ギター弦（８）を張り直す。
リ）調弦し、いつものようにギターを弾くと自分の耳元では聞こえるが隣の部屋までは      聞こえないぐらいの音量が減少させた状態での演奏が可能になる。
ヌ）取り外しは設置の逆の手順を追うことにより実施できる。
【符号の説明】
【００１５】  １  樹脂製の袋、２  キャップ、３  首丈、４  砂、５  ギター本体、６  サウンドホール、７  ギター弦、８  漏斗
【図１】
2016095480.tif 000003
【図２】
2016095480.tif 000004
【図３】
2016095480.tif 000005
【図４】
2016095480.tif 000006